(57)【要約】      （修正有）【課題】観賞魚用水槽用として、魚礁に準じて魚類が住み着き易くなるアクセサリーを提供する。【解決手段】筒状の物体１に、外周が縦長の楕円形になる外部構造と、縦長の楕円形の孔４を有する内部構造と、外周、孔共に縦長の楕円形をしていてラッパ口の様に外部に向かって末広がりになる形状の開口部２を持たせると共に、その筒状の物体の下部に、転倒防止用の底面が平らで上部から下部まで末広がりになる形状のスタンド３を取り付けて、鑑賞魚用水槽内に設置するアクセサリーを構成する。【選択図】図１
0003158777.tif 000002
【実用新案登録請求の範囲】
【請求項１】
観賞魚用水槽内に設置するアクセサリーであって、ラッパの口のような外部に向かって末広がりになる形状の開口部と縦長の楕円形の孔を有する管の下部にスタンドが設けられたことを特徴とするアクセサリー。
【考案の詳細な説明】
【技術分野】
【０００１】  本考案は、観賞魚用水槽内に設置されるアクセサリーに関する。
【背景技術】
【０００２】  従来、観賞魚用水槽に設置されるアクセサリーは、様々な形状をした製品が製造され使用されている。しかしながら、それらは、構造的に単に現実世界の自然物や人工物又は幻想物語の世界に登場する建築物や生物の形状を模しただけのものである。【０００３】  観賞魚用水槽に設置されるアクセサリーの機能は、観賞魚用水槽に美観を持たせることと、水槽内の観賞魚に日陰を提供することである。まれに期待されているのが、アクセサリーの構造体の一部又は全部を観賞魚の隠れ場所にすることができる機能であるが、アクセサリーには魚礁に準じる魚の隠れ場所としての機能がほとんど無い。【０００４】  なお、本願考案に関連する公知技術として次の特許文献１を挙げることができる。【０００５】
【特許文献１】  特許公開２００７−１４３４８３
【考案の開示】
【考案が解決しようとする課題】
【０００６】  上記の如く、従来技術に係るアクセサリーは、観賞魚用水槽に美観を持たせることと、観賞魚にわずかな日陰を提供することだけの機能しか無く、その構造体の一部又は全部を魚の隠れ場所として有効に活用する機能を有する訳ではないので、このアクセサリーを、観賞魚の隠れ場所として観賞魚用水槽に設置しても、それだけでは観賞魚に隠れ場所を提供することは難しい。【０００７】  このため、観賞魚飼育の専門知識を習得していない人が、観賞魚を飼育し、観賞魚用水槽に観賞魚の隠れ場所を設置する目的を持ち、水槽用アクセサリーを人工魚礁の一種と間違えて購入し、そのアクセサリーを水槽内に設置し、結局本来目的の観賞魚に隠れ場所を提供するということができないでいるのが現状である。【０００８】  本考案は、このような点を考慮し成された物であり、その目的は、観賞魚用水槽に設置されるアクセサリーに魚礁に準じた魚類に住み着かれ易くなる機能を持たせることで、狭い水槽内のアクセサリーが占める空間を有効に利用しつつ水槽内の観賞魚に隠れ場所を提供することができるようにすることにある。
【課題を解決するための手段】
【０００９】  上記の目的を達成する本考案のアクセサリーは、観賞魚用水槽内に設置するアクセサリーであって、ラッパの口のような外部に向かって末広がりになる形状の開口部と縦長の楕円形の孔を有する管の下部にスタンドが設けられたことを特徴とする。
【考案の効果】
【００１０】  以上説明したように、本考案によれば、アクセサリーを、ラッパの口のような外部に向かって末広がりになる形状の開口部と縦長の楕円形の孔を有する管の下部にスタンドを設けた形状にしたので、アクセサリーに魚礁に準じた魚類に住み着かれ易くなる機能を持たせることが可能となる。このアクセサリーを例えば観賞魚を入れた水槽に設置することで、狭い水槽内のアクセサリーが占める空間を有効に利用しつつ水槽内の観賞魚に隠れ場所を提供することが可能となり、観賞魚用水槽の装飾、観賞魚へのストレス軽減による観賞魚の健康増進に有効である。
【考案を実施するための最良の形態】
【００１１】  以下、本考案の実施の形態を図面に基づき詳細に説明する。【００１２】  図１から図４は、本考案の第１の実施の形態に係り、図１はその外観斜視図、図２はその正面図、図３はその側面図、図４はその側面の縦断面図である。【００１３】  図１、図２、図３、図４で示すように、本アクセサリーは、ラッパの口状の開口部２と縦長の楕円形の孔４を有する管の下部にスタンド３を設けたものである。【００１４】  図４で示すように、管本体１の内部は、魚捕獲用の容器の口に設置されている返しと逆の機能を持たせる為、開口部２から孔４の奥に向かって漏斗状に狭くなっている。【００１５】  図１、図２で示すように、スタンド３の底面は、平らになっている。【００１６】  孔４の高さは、観賞魚の身体の高さより高くなっていて、孔４の幅は、観賞魚の身体の幅よりも広くなっている。【００１７】  本アクセサリーの高さは観賞魚用水槽の高さより低く、本アクセサリーの長さ及び幅は観賞魚用水槽の幅よりも短くなっている。【００１８】  本アクセサリーの素材は、粘土、白磁、ステンレス、ＦＲＰ、合成樹脂、コンクリート、岩石等、耐水性が有るものならば何でも良い。【００１９】  本アクセサリーは、部品接合をされることなく、初めから管本体１と開口部２とスタンド３が一体化された状態で製造されるのが望ましい。
【産業上の利用可能性】
【００２０】  本考案は、ペット用品を製造、販売する産業分野で利用する事ができる。
【図面の簡単な説明】
【００２１】
【図１】本考案の第１の実施の形態に係るアクセサリーの外観斜視図である。
【図２】図１のアクセサリーの正面図である。
【図３】図１のアクセサリーの側面図である。
【図４】図１のアクセサリーの側面の縦断面図である。
【符号の説明】
【００２２】１          管本体
２          開口部
３          スタンド
４          孔
【図１】
0003158777.tif 000003
【図２】
0003158777.tif 000004
【図３】
0003158777.tif 000005
【図４】
0003158777.tif 000006
【手続補正書】
【提出日】平成21年12月4日(2009.12.4)
【手続補正１】
【補正対象書類名】実用新案登録請求の範囲
【補正対象項目名】全文
【補正方法】変更
【補正の内容】
【実用新案登録請求の範囲】
【請求項１】
本考案は、観賞魚用水槽内に設置するアクセサリーであって、縦長の楕円形の孔を有し、ラッパ口の様な外部に向かって末広がりになり且つ縦長の楕円形の形状を成す開口部を有し、身体下部のスタンドを有する管状の物体であることを特徴とするアクセサリー。
【手続補正書】
【提出日】平成22年1月28日(2010.1.28)
【手続補正１】
【補正対象書類名】実用新案登録請求の範囲
【補正対象項目名】全文
【補正方法】変更
【補正の内容】
【実用新案登録請求の範囲】
【請求項１】
観賞魚用水槽内に設置するアクセサリーであって、筒状の物体に、外周が縦長の楕円形になる外部構造と、縦長の楕円形の孔を有する内部構造と、外周、孔共に縦長の楕円形をしていてラッパ口の様に外部に向かって末広がりになる形状の開口部を持たせると共に、その筒状の物体の下部に、転倒防止用の底面が平らで上部から下部まで末広がりになる形状のスタンドを取り付けたことを特徴とするアクセサリー。